(57)【要約】  【課題】  コンテンツの流通経路を視覚的に明らかにするためのサービスシステムにおけるコンテンツの流通状況視覚化方法およびその装置を提供すること。  【解決手段】  ＮＷ上から取得したコンテンツの情報をＮＷを介して別のメディアに送信することが可能なサービスシステムにおけるコンテンツの流通状況視覚化方法であって、ＩＤ付与されたコンテンツをインターネットを利用して取得した各ユーザ端末が、読み取った前記ＩＤと、自端末を示すメディアＩＤとを前記サービスシステム内の共通処理装置に記録するステップと、前記ＩＤがどこかへ送信された場合にその送信先のメディアＩＤを共通処理装置に記録するステップとを有し、前記共通処理装置が、前記ＩＤの送信経路を追跡して共通記録手段に記録するとともに、その履歴を視覚化するステップを有することを特徴とするコンテンツ流通状況視覚化方法、およびこれを具体化した装置。【選択図】      図３
2005078506.tif 000002
【特許請求の範囲】
【請求項１】
コンテンツプロバイダが提供するネットワーク（ＮＷ）上のコンテンツを取得したり、取得したコンテンツの情報をＮＷを介して別のメディアに送信することが可能なサービスシステムにおけるコンテンツの流通状況視覚化方法であって、
ＩＤ付与されたコンテンツをインターネットを利用して取得した各ユーザ端末が、
前記ＩＤを読み取り、読み取った前記ＩＤと、自端末を示すメディアＩＤとを前記サービスシステム内の共通処理装置に記録するステップと、
前記ＩＤがどこかへ送信された場合にその送信先のメディアＩＤを前記共通処理装置に記録するステップとを有し、
前記共通処理装置が、前記ＩＤがどのように、またどこまで送信されたかを追跡して共通記録手段に記録するとともに、その履歴を視覚化するステップを有する
ことを特徴とするコンテンツ流通状況視覚化方法。
【請求項２】
前記各ステップに加えて、前記共通処理装置が、
前記コンテンツの追跡結果を分析するステップと、
この分析の結果を共通記録手段に蓄積・記録するステップと
を有することを特徴とする請求項１に記載のコンテンツ流通状況視覚化方法。
【請求項３】
前記各ステップに加えて、前記共通処理装置が、
前記共通記録手段に蓄積・記録されている前記分析の結果をユーザ端末に送出するステップを有し、
前記各ユーザ端末が、受け取った前記分析の結果を表示するステップを有する
ことを特徴とする請求項２に記載のコンテンツ流通状況視覚化方法。
【請求項４】
前記各ステップに加えて、前記共通処理装置が、
追跡結果にデータマイニングを適用し、メディア間の相関ルール、メディアとコンテンツＩＤとの相関ルールおよび異なるコンテンツ間の相関ルールのうちの少なくとも一つを計算するステップと、
メディアやコンテンツに関して時系列分析をするステップと、
これらの結果を視覚化して出力するステップとを
有することを特徴とする請求項３に記載のコンテンツ流通状況視覚化方法。
【請求項５】
前記各ステップに加えて、前記共通処理装置が、
対象となる前記コンテンツが複数であっても処理が可能であり、それらの異なるＩＤごとに送信先メディアの履歴を視覚化して提示するステップを有する
ことを特徴とする請求項１〜４のいずれか１項に記載のコンテンツ流通状況視覚化方法。
【請求項６】
コンテンツプロバイダが提供するＮＷ上のコンテンツを取得したり、取得したコンテンツの情報をＮＷを介して別のメディアに送信することが可能なサービスシステムに用いるコンテンツの流通状況視覚化装置であって、
各ユーザ端末が、インターネットを利用して取得したＩＤ付与されたコンテンツから、前記ＩＤを読み取り、読み取った前記ＩＤと、自端末を示すメディアＩＤとを前記サービスシステム内の共通処理装置に記録する手段と、
前記ＩＤがどこかへ送信された場合にその送信先のメディアＩＤを前記共通処理装置に記録する手段と、
前記ＩＤがどのように、またどこまで送信されたかを追跡して前記共通記録手段に記録するとともに、その履歴を視覚化する手段を有する
ことを特徴とするコンテンツ流通状況視覚化装置。
【請求項７】
前記各手段に加えて、前記共通処理装置が、
前記コンテンツの追跡結果を分析する手段と、
この分析の結果を共通記録手段に蓄積・記録する手段と
を有することを特徴とする請求項６に記載のコンテンツ流通状況視覚化装置。
【請求項８】
前記各手段に加えて、前記共通処理装置が、
前記共通記録手段に蓄積・記録されている前記分析の結果をユーザ端末に送出する手段を有し、
前記各ユーザ端末が、受け取った前記分析の結果を表示する手段を有する
ことを特徴とする請求項７に記載のコンテンツ流通状況視覚化装置。
【請求項９】
前記各手段に加えて、前記共通処理装置が、
対象となる前記コンテンツが複数であっても処理が可能であり、それらの異なるＩＤごとに送信先メディアの履歴を視覚化して提示する手段を有する
ことを特徴とする請求項６〜８のいずれか１項に記載のコンテンツ流通状況視覚化装置。
【請求項１０】
前記各手段に加えて、前記共通処理装置が、
追跡結果にデータマイニングを適用し、メディア間の相関ルール、メディアとコンテンツＩＤとの相関ルールおよび異なるコンテンツ間の相関ルールのうちの少なくとも一つを計算する手段と、
メディアやコンテンツに関して時系列分析をする手段と、
これらの結果を視覚化して出力する手段とを
有することを特徴とする請求項６〜９のいずれか１項に記載のコンテンツ流通状況視覚化装置。
【請求項１１】
請求項１〜５のいずれか１項に記載のコンテンツ流通状況視覚化方法をコンピュータ制御により実行するためのプログラム。
【請求項１２】
請求項１１に記載のプログラムを記録したコンピュータにより読み取り可能な記録媒体。
【発明の詳細な説明】
【技術分野】
【０００１】
本発明は、コンテンツ流通状況視覚化方法およびその装置に関し、より具体的には、コンテンツがインターネットを介してどのようなメディアでどのように紹介され、新たなユーザを開拓していくのかを、データだけではなく、その流通の結果を分析・蓄積し、さらに視覚化して、好適なコンテンツ作成を支援するための技術に関するものである。
【背景技術】
【０００２】
これまで、インターネットやデジタル放送において、コンテンツ作成者が各々のコンテンツに意味情報を対応つけたインデックスを付与し、受信者であるユーザがそのインデックスに従って該コンテンツでは表現しきれなかった情報を取得する方法は提案されている（例えば特許文献1）。
【０００３】
また、放送だけではなく、印刷物などの情報伝達メディアとインターネットを協調させ情報活用ニーズに対応できる方式“Ｖision Ｍark（日本電信電話（株）登録商標）”が提案されており、Ｖision Ｍark は、収集して持ち運ぶことや他者へ送信することができるようになっている（非特許文献１）。
【０００４】
しかし、付与されたインデックスやＶision Ｍark がどのように利用されているか、ユーザ間でどのようなやり取りが行われているかといった疑問を解決する手段が提案されておらず、コンテンツ流通経路や、異なる受信メディア間に渡るコンテンツを考慮したコンテンツ作成についてはあまり考慮されていなかった。
【０００５】
【特許文献１】特開２００１−３２６９２４号公報
【非特許文献１】宮奥健人ほか著“Ｖision Ｍark：情報伝送メディアとインターネットの協調に向けたメディア連携方式”信学論、Ｖol.J８６-D-ｉ Ｎo.６、pp421-430
【発明の開示】
【発明が解決しようとする課題】
【０００６】
本発明は上記事情に鑑みてなされたものであり、その目的とするところは、前記従来技術に基づく問題点を解消し、インターネットで受信されたコンテンツがどのようなメディアを介してどのように紹介され、受信ユーザを増加させているのかというような、コンテンツの流通経路を視覚的に明らかにするためのサービスシステムにおけるコンテンツの流通状況視覚化方法およびその装置を提供することにある。
【課題を解決するための手段】
【０００７】
上記目的を達成するために、本発明に係るコンテンツ流通状況視覚化方法は、コンテンツプロバイダが提供するＮＷ上のコンテンツを取得したり、取得したコンテンツの情報をＮＷを介して別のメディアに送信することが可能なサービスシステムにおけるコンテンツの流通状況視覚化方法であって、ＩＤ付与されたコンテンツをインターネットを利用して取得した各ユーザ端末が、前記ＩＤを読み取り、読み取った前記ＩＤと、自端末を示すメディアＩＤとを前記サービスシステム内の共通処理装置に記録するステップと、前記ＩＤがどこかへ送信された場合にその送信先のメディアＩＤを前記共通処理装置に記録するステップとを有し、前記共通処理装置が、前記ＩＤがどのように、またどこまで送信されたかを追跡して共通記録手段に記録するとともに、その履歴を視覚化するステップを有することを特徴とするものである。
【０００８】
本発明に係るコンテンツ流通状況視覚化方法においては、前記各ステップに加えて、前記共通処理装置が、前記コンテンツの追跡結果を分析するステップと、この分析の結果を共通記録手段に蓄積・記録するステップとを有することが好ましい。また、前記各ステップに加えて、前記共通処理装置が、前記共通記録手段に蓄積・記録されている前記分析の結果をユーザ端末に送出するステップを有し、前記各ユーザ端末が、受け取った前記分析の結果を表示するステップを有することが好ましい。
【０００９】
さらに、本発明に係るコンテンツ流通状況視覚化方法においては、記各ステップに加えて、前記共通処理装置が、追跡結果にデータマイニングを適用し、メディア間の相関ルール、メディアとコンテンツＩＤとの相関ルールおよび異なるコンテンツ間の相関ルールのうちの少なくとも一つを計算するステップと、メディアやコンテンツに関して時系列分析をするステップと、これらの結果を視覚化して出力するステップとを有することが好ましい。また、前記各ステップに加えて、前記共通処理装置が、対象となる前記コンテンツが複数であっても処理が可能であり、それらの異なるＩＤごとに送信先メディアの履歴を視覚化して提示するステップを有することが好ましい。
【００１０】
一方、本発明に係るコンテンツ流通状況視覚化装置は、コンテンツプロバイダが提供するＮＷ上のコンテンツを取得したり、取得したコンテンツの情報をＮＷを介して別のメディアに送信することが可能なサービスシステムに用いるコンテンツの流通状況視覚化装置であって、各ユーザ端末が、インターネットを利用して取得したＩＤ付与されたコンテンツから、前記ＩＤを読み取り、読み取った前記ＩＤと、自端末を示すメディアＩＤとを前記サービスシステム内の共通処理装置に記録する手段と、前記ＩＤがどこかへ送信された場合にその送信先のメディアＩＤを前記共通処理装置に記録する手段と、前記ＩＤがどのように、またどこまで送信されたかを追跡して前記共通記録手段に記録するとともに、その履歴を視覚化する手段を有することを特徴とする。
【００１１】
本発明に係るコンテンツ流通状況視覚化装置においては、前記各手段に加えて、前記共通処理装置が、前記コンテンツの追跡結果を分析する手段と、この分析の結果を共通記録手段に蓄積・記録する手段とを有することが好ましい。また、前記各手段に加えて、前記共通処理装置が、前記共通記録手段に蓄積・記録されている前記分析の結果をユーザ端末に送出する手段を有し、前記各ユーザ端末が、受け取った前記分析の結果を表示する手段を有することが好ましい。
【００１２】
本発明に係るコンテンツ流通状況視覚化装置においては、前記各手段に加えて、前記共通処理装置が、対象となる前記コンテンツが複数であっても処理が可能であり、それらの異なるＩＤごとに送信先メディアの履歴を視覚化して提示する手段を有することが好ましい。また、前記各手段に加えて、前記共通処理装置が、追跡結果にデータマイニングを適用し、メディア間の相関ルール、メディアとコンテンツＩＤとの相関ルールおよび異なるコンテンツ間の相関ルールのうちの少なくとも一つを計算する手段と、メディアやコンテンツに関して時系列分析をする手段と、これらの結果を視覚化して出力する手段とを有することが好ましい。
【００１３】
なお、本発明に係る各コンテンツの流通状況視覚化方法は、これをコンピュータ制御により実行させることが可能であり、本発明の技術範囲は、そのためのプログラム、さらにはこのプログラムを記録したコンピュータにより読み取り可能な記録媒体にも及ぶものである。
【発明の効果】
【００１４】
本発明によれば、コンテンツの流通経路を視覚的に明らかにするためのサービスシステムにおけるコンテンツの流通状況視覚化方法およびその装置を実現できるという効果が得られる。より具体的には、コンテンツがどのようなメディアを通して視聴されているのかを把握することができ、その結果を分析することにより、視聴メディアにあったコンテンツ作成の支援ツールを提供することも可能になるという効果も得られる。
【００１５】
また、コンテンツが紹介された場合その軌跡をとることができ、コンテンツに対する興味の深さ（人気度）といった新たな指標を取り入れ、コンテンツ流通の活発化に役立つという効果も得られる。例えば、現在では、コンテンツのアクセス数を人気度の目安としているが、アクセスしたからといって必ずしもそのコンテンツに興味があるとはいえず、お気に入りとしてとっておかれたり、他人に紹介されたりすることで、コンテンツに対する興味の度合いを測るといった試みが可能となる。
【００１６】
このシステムを利用することで、コンテンツホルダは受信されるメディアに適したコンテンツを作成することや、流通されやすいコンテンツを仕掛けることが可能となる。
以下、本発明を、前記非特許文献１に記載されているＶision Ｍark （以下、ＶＭと略称する）の形で付与されたＩＤを例に挙げて、本発明の好適実施例を説明する。
【発明を実施するための最良の形態】
【００１７】
図１を用いて、本発明の一実施例を説明する。
図１に、上述のＶＭ（Ｖision Ｍark ）遷移収集方式の概念を示す。ＶＭは異なるメディア，他者への送信が可能なので、これをコンテンツに付与されたＩＤと考える。まず、あるコンテンツ１０にＶＭ１０ａを付与しておくと、ユーザはこのコンテンツ１０からＶＭ１０ａを取得することができる。
【００１８】
このとき、どのメディア（例えば、ＰＣ（パーソナルコンピュータ））１１で取得したのであればその旨をサーバ２０に記録し、このＶＭの送信回数を１とする。続いて、取得したＶＭをどこか（例えば、携帯電話１２）に送信した場合、そのＶＭがどのようなメディア間でやりとりされたのかということと、送信回数に１を加えた値をサーバ２０に記録する。その後、このＶＭ１０ａが送信されるたびに、そのＶＭ１０ａがどのメディアで送受信されているかということと、送信回数をサーバ２０に記録していく。
【００１９】
図２に、端末での具体的な処理を示す。まず、端末に，ＶＭ１０ａをコンテンツから取得、あるいは他端末から受信できるような手段を備える（ＶＭ受信手段３１）。取得あるいは受信されたＶＭ１０ａは、必要情報収集機能部４１で、端末からユーザＩＤ４１ａや端末情報４１ｂを取得し、それらの情報と時刻４１ｃ，ＶＭ送信回数のカウントアップ命令４１ｄをサーバに送信する（５１）。その後、ＶＭは保存（６１ａ）または削除（６１ｂ）され、保存された場合は他端末に送信する手段３２を備え、必要に応じて送信処理が行われる。
【００２０】
図３に、本発明の特徴部分である、サーバ２０での処理を示す。サーバ２０は、図２で示したように、ＶＭの遷移情報を収集・蓄積（ＶＭ情報収集・蓄積機能部２１）した後、ＶＭがどのような経路で送信されているか、視覚化する（経路視覚化機能部２２）。例えば、ＰＣ→携帯電話→ＰＣといった具合に、表現方法はいくつか考えられるが、その経路がわかるように表示する。続いて、その経路の分析を行う（経路分析（データマイニング）機能部２３）。
【００２１】
これらの処理は、どの経路が一番よく使われているのか、ＶＭは平均何回送信されているのか、といった統計データを求め、データマイニングによる分析を行うものである。そして、その結果をサーバ２０において蓄積し（分析結果蓄積機能部２４）、コンテンツホルダなどに対して分析結果を表示する（分析結果表示機能部２５）。
【００２２】
図１〜図３に示した実施例は、１つのコンテンツに限らず、複数のコンテンツに対しても行うことができる。そこで、複数のＶＭ（ＶＭ１〜ＶＭ４）の遷移状態を示した例を、図４に示す。この例は、ＶＭ１はまずＰＣに送信され、さらに受信されたＶＭ１は、別のＰＣに送信され、その後、携帯電話に送信されたという遷移を表わしている。
【００２３】
同様に、ＶＭ２は携帯電話で受信され、続いてＰＣに送信されており、ＶＭ３はＰＤＡ（個人情報端末）でだけ受信され、ＶＭ４はＰＣで受信しされた後、ＰＣと携帯電話に送信され、さらにそれぞれがＰＣ，ＰＣと携帯電話に送信されたという経路を示している。ここでは、送受信の回数についても、メディア別に表示することを可能とする視覚化方式を想定している。
【００２４】
図５〜図７は、ＩＤ追跡結果をデータマイニングで分析し、相関ルール分析の結果を円状図で表したもので、請求項５の実施例を示している。
図５は、メディア間における相関ルール分析の例であり、丸で囲んだメディアからどのメディアにＩＤを送信することが多いか、例えば、ＰＣからＰＣへ送信され、さらにその先もＰＣに送信されている場合（Ａのルート）や、ＰＣから携帯電話に送信され、その後、別のＰＣに送信されている場合（Ｂのルート）、あるいは、ＰＣからＰＤＡに送信されている場合（Ｃのルート）、といったことを線で結んで示し、さらに線の太さや色の濃さで、各場合の量や信頼度を表わすことで、メディア間のやりとりを視覚化している。
【００２５】
図６は、コンテンツとメディア間における相関ルール分析の例である。図５と同様の見方をすれば、左側の図では、コンテンツＡのＩＤがどのようなメディアでやりとりされているか、相関のあるものを線で結んでいる。一方、右側の図では、メディアをヘッドとし、携帯電話でやりとりされ易いメディアやコンテンツを線で結んで視覚化している。
【００２６】
図７は、コンテンツ間の相関ルール分析の例である。メディア間のＩＤ経路を参照して、相関のあるコンテンツ同士を線で結んで、関連性を視覚化している。
【００２７】
図８も、ＩＤ追跡結果のデータマイニング分析であるが、時系列分析（時間間隔を考慮した分析）の結果例を示している。線の太さは太いほど相関が高く、長さは時間間隔を表している。１番上の図は、携帯電話で取得されたＩＤは５分後にＰＣに送信され、さらに１時間後に別のＰＣに送信されることを視覚化したものである。
【００２８】
同様に、２番目の図は、ＩＤがＰＣからＰＣへ３０分の間隔で送信され、さらに３０分後に携帯電話に送信されることと、この２者は同じ時間間隔であるが、ＰＣからＰＣへ送信される確率の方がＰＣから携帯電話へ送信されるより高い（線の太さで表わしている）ことを示している。
【００２９】
３番目の図は、あるコンテンツがアップされて１分後に携帯電話でＩＤが取得され、その確率も非常に高く、その５分後にＰＣに送信、さらに３０分後に別のＰＣに送信されることを表している。
【００３０】
４番目の図は、ＰＤＡで取得されたＩＤは、１時間後にＰＣに送信される確率がとても高いということを視覚化している。
【００３１】
なお、上述の処理に用いる手法、例えば、視覚化，経路分析（データマイニング），相関分析等には、いずれも既存の手法を利用できる。
【００３２】
以上、本発明に詳細に説明したが、本発明は上記実施形態に限定されるものではなく、本発明の趣旨を逸脱しない範囲において、種々の改良や変更を行ってもよいことはいうまでもない。
【図面の簡単な説明】
【００３３】
【図１】ビジョンマーク（ＶＭ）遷移収集方式を説明する図である。
【図２】端末での処理を説明する図である。
【図３】サーバでの処理を説明する図である。
【図４】複数コンテンツの遷移状態の視覚化を説明する図である。
【図５】追跡結果のデータマイニング（メディア間における相関ルール分析）を説明する図である。
【図６】追跡結果のデータマイニング（コンテンツとメディア間における相関ルール分析）を説明する図である。
【図７】追跡結果のデータマイニング（コンテンツ間における相関ルール分析）を説明する図である。
【図８】追跡結果のデータマイニング（時系列分析）を説明する図である。
【符号の説明】
【００３４】
１０  コンテンツ
１０ａ  ＶＭ（Ｖision Ｍark ）
１１，１１ａ，１１ｂ  ＰＣ（パソコン）
１２  携帯電話
１３  ＰＤＡ（個人情報端末）
２０  サーバ
２１  ＶＭ情報収集・蓄積機能部
２２  経路視覚化機能部
２３  経路分析機能部
２４  分析結果蓄積
２５  分析結果表示機能部
３１  ＶＭ受信手段
３２  ＶＭ送信手段
４１  必要情報収集機能部
４１ａ  ユーザＩＤ
４１ｂ  端末情報
４１ｃ  時刻
４１ｄ  ＶＭ送信カウントアップ機能部
５１  サーバ送信機能部
【図１】
2005078506.tif 000003
【図２】
2005078506.tif 000004
【図３】
2005078506.tif 000005
【図４】
2005078506.tif 000006
【図５】
2005078506.tif 000007
【図６】
2005078506.tif 000008
【図７】
2005078506.tif 000009
【図８】
2005078506.tif 000010